(57)【要約】      （修正有）【課題】ヘルメットの機能を担保しつつヘルメット装着時に使用者の頭部付近の温度を過度に上昇させることを有効に回避し得るヘルメット用カバー及び当該ヘルメットカバーを構成する日よけ体を提供する。【解決手段】ヘルメットＨに装着されてなるものであって、前記ヘルメットＨにおいて使用者の頭部を被覆するヘルメット本体Ｈ１を平面視略全域を被覆し日よけ機能を有する日よけ体２と、この日よけ体２から前記ヘルメット本体Ｈ１へ向けて突出し前記日よけ体２及び前記ヘルメットＨを互いに離間させることにより前記ヘルメット本体Ｈ１の表面略全域から外部に亘って連通する通気空間を形成した状態で前記ヘルメットＨに係り合うことにより取り付けられるスペーサ３とを具備する。【選択図】図２
2014181427.tif 000002
【特許請求の範囲】
【請求項１】
ヘルメットに装着されてなるものであって、
前記ヘルメットにおいて使用者の頭部を被覆するヘルメット本体を平面視略全域を被覆し日よけ機能を有する日よけ体と、
この日よけ体から前記ヘルメット本体へ向けて突出し前記日よけ体及び前記ヘルメットを互いに離間させることにより前記ヘルメット本体の表面略全域から外部に亘って連通する通気空間を形成した状態で前記ヘルメットに係り合うことにより取り付けられるスペーサとを具備することを特徴とするヘルメット用カバー。
【請求項２】
前記日よけ体がシート状のものであり、前記スペーサが前記日よけ体を内側から支持する枠体と、この枠体を前記ヘルメット本体に対し離間させた状態で支持するスペーサ本体とを有している請求項１記載のヘルメット用カバー。
【請求項３】
前記枠体が前記ヘルメット本体を上方から略被覆し得る概略ドーム形状をなす請求項２記載のヘルメット用カバー。
【請求項４】
前記枠体と前記スペーサ本体とが一体に成形されてなる請求項２又は３記載のヘルメット用カバー。
【請求項５】
前記スペーサ本体が、前記ヘルメット本体に対し摩擦により位置決めされる摩擦面を有している請求項２、３又は４記載のヘルメット用カバー。
【請求項６】
前記スペーサ本体が、弾性変形可能に構成されている請求項５記載のヘルメット用カバー。
【請求項７】
前記スペーサ本体が樹脂性の発泡体からなり、この発泡体の表面を前記摩擦面としている請求項５又は６記載のヘルメット用カバー。
【請求項８】
前記スペーサ本体が、前記ヘルメット本体の縁部に間欠的に複数取り付けられてなる請求項２、３、４、５、６又は７記載のヘルメット用カバー。
【請求項９】
前記日よけ体が、前記ヘルメット本体を挟持することにより当該ヘルメット本体に対し位置決めされるクリップを有している請求項１、２、３、４、５、６又は７記載のヘルメット用カバー。
【請求項１０】
前記スペーサが、前記ヘルメット本体に対し吸着により位置決めされる吸着体を有している請求項１、２、３、４、５、６、７又は８記載のヘルメット用カバー。
【請求項１１】
請求項１乃至１０の何れかに記載のヘルメット用カバーを構成していることを特徴とする日よけ体。
【発明の詳細な説明】
【技術分野】
【０００１】
本発明は、作業時等に装着するヘルメットが強い日射にさらされるようなときに取り付けるためのヘルメット用カバー及び当該ヘルメット用カバーを構成する日よけ体に関するものである。
【背景技術】
【０００２】
従来、晴天時、特に炎天下での工事現場や通行時等において使用者の頭部を保護するためのヘルメットにおいて、特に強い日射にさらされた環境におけるヘルメット装着時に使用者の頭部付近の温度を過度に上昇させないための技術が種々提案されている(例えば、特許文献１及び特許文献２参照)。
【０００３】
ここで、特に強い日射にさらされた環境におけるヘルメット装着時の状況を鑑みると、ヘルメット、特に作業者の頭部を保護するために表出されるヘルメット本体に対する日射が原因となり、使用者の頭部の過度な温度上昇を招来してしまっている現状がある。またこれまでは上記特許文献１に記載のもののように、ヘルメット後部に日よけを別途取り付けることにより、作業者の日焼けによる首筋すなわち頭部付近の温度上昇を回避しようとするものが提案されている。またヘルメット本体の内側にある作業者の頭部の温度上昇を直接的に回避することを目的とするものとして、特許文献２に記載の通り、ヘルメット本体に直接通気性を向上させ得る手段を施すことも考えられる。更に近時では、ヘルメットの表面に遮熱製或いは日射を反射し易い色調の塗料を塗布することにより、日射によるヘルメット表面の温度上昇を抑制しようとするヘルメットも提案されている。
【０００４】
しかしながら、上記特許文献１に記載されたようなものでは、作業者の頭部においてヘルメット本体に保護される部位の温度上昇を抑えることができない。また特許文献２に記載のものは、ヘルメット自体の構成がいきおい複雑となることが避けられない。特に、ヘルメット自体の目的である耐衝撃性や衝撃に対する緩衝性能を担保しようとすれば、自ずと温度上昇抑制のための構成が限られてしまう。さらに、ヘルメットの表面に遮熱製或いは日射を反射し易い色調の塗料を塗布するようなものであっても、ヘルメットの表面に日射があたる点では従前と変わらないことから、温度上昇の抑制効果も自ずと限られたものとなっている。
【０００５】
以上のことから、現状では、ヘルメット自体の構成の変更により所要の温度上昇抑制効果を得ることが難しいのが現状である。
【先行技術文献】
【特許文献】
【０００６】
【特許文献１】実開平７−１５７３２号公報
【特許文献２】特開２００８−２２３１８４号公報
【発明の概要】
【発明が解決しようとする課題】
【０００７】
本発明は、上述したような不具合に着目したものであり、ヘルメットの機能を担保しつつ強い日射にさらされるときであってもヘルメット装着時に使用者の頭部付近の温度を過度に上昇させることを有効に回避し得るヘルメット用カバーを提供することを目的としている。
【課題を解決するための手段】
【０００８】
本発明は、このような目的を達成するために、次のような手段を講じたものである。
【０００９】
すなわち本発明に係るヘルメット用カバーは、ヘルメットに装着されてなるものであって、前記ヘルメットにおいて使用者の頭部を被覆するヘルメット本体を平面視略全域を被覆し日よけ機能を有する日よけ体と、この日よけ体から前記ヘルメット本体へ向けて突出し前記日よけ体及び前記ヘルメットを互いに離間させることにより前記ヘルメット本体の表面略全域から外部に亘って連通する通気空間を形成した状態で前記ヘルメットに係り合うことにより取り付けられるスペーサとを具備することを特徴とする。
【００１０】
また本発明に係る日よけ体は、上記ヘルメット用カバーを構成していることを特徴とする。
【００１１】
このようなものであれば、日よけ体が平面視略全域に亘って日差しからヘルメット本体を日差しによる熱から保護するとともに、ヘルメット本体に対して通気空間を確保することにより日よけ体の温度が上昇してもヘルメット本体が日差しにより直接的に温度上昇してしまうことも、ヘルメット本体が日よけ体を介して間接的に温度上昇してしまうことも有効に回避される。しかもヘルメット自体には何ら格別の構成を付与することも回避している。その結果、ヘルメット本来の機能は何ら損なうことなく担保しつつ、炎天下など、特に強い日射が当たるような環境においてもヘルメット装着時に使用者の頭部付近の温度を過度に上昇させることを有効に回避することができる。
【００１２】
簡素且つ軽量にすることで製造工程の簡略化と使用時の負担の軽減とを有効に両立させるためには、前記日よけ体をシート状のものとし、前記スペーサが前記日よけ体を内側から支持する枠体と、この枠体を前記ヘルメット本体に対し離間させた状態で支持するスペーサ本体とを有しているものとすることが好ましい。
【００１３】
作業者の視界を過度に妨げることなくヘルメット本体への日射を有効に遮蔽し得る一例として、前記枠体が前記ヘルメット本体を上方から略被覆し得る概略ドーム形状をなす構成を挙げることができる。
【００１４】
部品点数を削減することで製造効率を有効に向上させるためには、前記枠体と前記スペーサ本体とを一体に成形することが好ましい。
【００１５】
ヘルメット本体の構成をなんら変更することなくカバー本体を確実に位置決めすることができる態様としては、スペーサ本体が、前記ヘルメット本体に対し摩擦により位置決めされる摩擦面を有している態様を挙げることができる。
【００１６】
サイズや形状がことなる種々の態様をなすヘルメットに対してそれぞれ好適に取り付けられるようにするためには、前記スペーサ本体を、弾性変形可能に構成されたものとすることが望ましい。
【００１７】
さらなる軽量化に資するとともにヘルメット本体への位置決めを確実に行い得る具体的な態様として、前記スペーサ本体が樹脂性の発泡体からなり、この発泡体の表面を摩擦面とする態様を挙げることができる。
【００１８】
通気空間への外部への連通を有効に担保してヘルメット本体とカバー本体との間の通気性を有効に担保するためには、前記スペーサ本体を、前記ヘルメット本体の縁部に間欠的に複数取り付けておくことが好ましい。
【００１９】
そして、日よけ体がスペーサ及びヘルメット本体に対し確実に位置決めされるようにするためには、日よけ体を、前記ヘルメット本体を挟持することにより当該ヘルメット本体に対し位置決めされるクリップを有したものとすることが望ましい。
【００２０】
またスペーサをヘルメット本体にさらに確実に位置決めし得るようにする態様として前記スペーサが、前記ヘルメット本体に対し吸着により位置決めされる吸着体を有している態様を挙げることができる。
【発明の効果】
【００２１】
本発明によれば、ヘルメットの機能を担保しつつヘルメット装着時に使用者の頭部付近の温度を過度に上昇させることを有効に回避し得るヘルメット用カバーを提供することができる。
【図面の簡単な説明】
【００２２】
【図１】本発明の一実施形態に係る外観図。
【図２】本発明の一実施形態に係る他の外観図。
【図３】同側面図。
【図４】同実施形態に係る構成説明図。
【図５】同中央側端面図。
【図６】同実施形態の変形例１に係る要部拡大図。
【図７】同実施形態の変形例２に係る図３に対応する作用説明図。
【図８】同実施形態の変形例３に係る要部拡大図。
【発明を実施するための形態】
【００２３】
以下、本発明の一実施の形態について図面を参照して説明する。
【００２４】
本実施形態に係るヘルメット用カバー１は、例えば野外での工事作業時や児童や学生の通学時に着用されるヘルメットＨに晴天時、特に炎天下等の強い日射にさらされるようなときに装着されるものである。
【００２５】
ヘルメットＨは、本実施形態では使用者の頭部を被覆するヘルメット本体Ｈ１と、このヘルメット本体Ｈ１の前縁から前方に延出する鍔Ｈ２とを有している。そしてこのヘルメットＨは、ヘルメット本体Ｈ１の内部に例えば衝撃を吸収するための緩衝部や、使用者の顎に掛け回してヘルメットＨを使用者に位置決めするためのベルト等を有しているが、これらの構成については既存の種々の構成を適用し得るため、図示及び詳細な説明を省略する。
【００２６】
しかして本実施形態に係るヘルメット用カバー１は、図１及び図２に示すように、前記ヘルメットＨにおいて使用者の頭部を被覆するヘルメット本体Ｈ１を平面視略全域を被覆し日よけ機能を有する日よけ体２と、この日よけ体２から前記ヘルメット本体Ｈ１へ向けて突出し前記日よけ体２及び前記ヘルメットＨを互いに離間させることにより前記ヘルメット本体Ｈ１の表面略全域から外部に亘って連通する通気空間Ｓを形成した状態で前記ヘルメットＨに係り合うことにより取り付けられるスペーサ３とを具備することを特徴とする。特に図１では、スペーサ３をヘルメットＨに取り付けることによりヘルメット本体Ｈ１の外側略全域に、例えば厚み寸法が１〜２ｃｍの空気を保持し得る通気空間Ｓが形成されていることが明確に視認できる。
【００２７】
以下、このヘルメット用カバー１の具体的な構成について説明する。
【００２８】
日よけ体２は、シート状をなすシート本体２１と、このシート本体２１をヘルメット本体Ｈ１に対し位置決めするためのクリップ部２２とを有している。
【００２９】
シート本体２１は撥水性を担保すべく合成樹脂製の布材の裏面にアルミ製の膜をコーティング或いはラミネートしたものを適宜裁断、縫合することで、高い防水性を保持したまま、ヘルメット本体Ｈ１を略覆い得るようにしている。そしてこのシート本体２１の下縁の３箇所において、クリップ２５を取り付けるための取付穴２３が形成されている。本実施形態ではアルミ製の膜を裏面に配置して布材の表面に適宜着色を施したシート本体２１を開示したが勿論、アルミ製の膜を表面に配置してアルミ素材独特の色彩を露出させても良い。またシート本体２１は、布材を縫合した箇所を別途シール材によりシールしても良い。そしてクリップ部２２は、シート本体２１の取付穴２３に取り付けられたものであり、ヘルメット本体Ｈ１の下縁を挟持するためのクリップ２５と、このクリップ２５を先端側に取り付けるとともに基端側が取付穴２３に取り付けられたゴム等を有することで伸縮性を有する紐からなるストラップ２６とを有している。クリップ２５は針金製のコイルバネに付勢された２つの樹脂性のパーツが対象物を挟持する態様をなす通常のものであるため、具体的な構造の説明は省略する。
【００３０】
スペーサ３は、ヘルメット本体Ｈ１に直接取り付けられるスペーサ本体３１と、前記ヘルメット本体Ｈ１を上方から略被覆し得る概略ドーム形状をなす枠体３５とを有している。スペーサ本体３１は例えば発泡性の樹脂を概略立方体形状に切り出すことにより構成されたもので、外側の面が前記スペーサ本体３１に適宜の方向により接着されてなる。そしてこのスペーサ本体３１の内側の面は、発泡性の樹脂の切断面がそのまま露出されることにより、ヘルメット本体Ｈ１に対し摩擦により位置決めされる摩擦面３２となっている。枠体３５は、前記スペーサ本体３１を間欠的に取り付けてなる環状体３６と、この環状体３６に一体的に取り付けられるか或いは一体に形成されたアーチ３７とを有している。環状体３６は、ヘルメット本体Ｈ１の下縁近傍を周回すべく環状に設けられた帯状の樹脂からなるものであるが、この環状体３６自体が弾性変形可能に設けられていても良い。アーチ３７は、例えば前記環状体３６と同じ素材からなる樹脂製のシート素材を適宜切り出す等によってなるものであり、中心に位置付けられた頂部３７ａを中心とし、この頂部３７ａから複数のアーチメンバ３７ｂが放射状に拡散するように設けられている。またこのアーチ３７の特に頂部３７ａが設けられた箇所の通気空間Ｓを利用して、例えば別体の保冷剤等を収容することにより、通気空間Ｓ内の空気の温度上昇をさらに抑えることが可能である。この頂部３７ａに保冷剤を位置決めする構成は既存の種々の構成を適用することができる。そしてアーチメンバ３７ｂの先端すなわち下端側は前記環状体３６に取り付けられている。なお本実施形態ではアーチメンバ３７ｂが環状体３６に取り付けられた箇所にそのままスペーサ本体３１が取り付けられてなるが勿論、環状体３６にスペーサ本体３１を取り付ける箇所は当該箇所に限定されるものではない。そしてスペーサ本体３１がヘルメット本体Ｈ１に接することで枠体３５がヘルメット本体Ｈ１に位置決めされた状態では、当該枠体３５はヘルメット本体Ｈ１に対して例えば１〜２ｃｍ程度何れの箇所においても離間した状態となっている。これにより、ヘルメットＨと前記日よけ体２との間には、ヘルメット本体Ｈ１表面の略全域において、厚みが１〜２ｃｍ程度の通気空間Ｓが形成された状態となる。
【００３１】
しかして、本実施形態に係るヘルメット用カバー１は、ヘルメットＨに装着された状態で、ヘルメット本体Ｈ１との間に外部と連通する通気空間Ｓが確保されてなることを特徴とするものである。この通気空間Ｓの存在によって、日よけ体２に強い日差しが当たって日よけ体２自体の温度が上昇しても、通気空間Ｓ内の空気自体の断熱作用により、日よけ体２の熱をヘルメット本体Ｈ１へ伝わり難いものとしている。しかも通気空間Ｓ内の空気は外部に連通しているので、頻繁に外部の空気と交換されることとなり、通気空間Ｓ内の空気は外気温よりも上がり難いものとなっている。
【００３２】
以上のような構成とすることにより、本実施形態に係るヘルメット用カバー１は、日よけ体２が図１の如く形成された通気空間Ｓを介してヘルメット本体Ｈ１に位置決めされることで、平面視略全域に亘って日差しからヘルメット本体Ｈ１を日差しによる熱から、例え炎天下のような強い日射にさらされた状態であっても保護するようになっている。すなわち、ヘルメット本体Ｈ１に対して通気空間Ｓが確保されることにより、例え日光を直接浴びて日よけ体２自体の温度が上昇してもヘルメット本体Ｈ１が日差しにより直接的に温度上昇してしまうことも、ヘルメット本体Ｈ１が日よけ体２を介して間接的に温度上昇してしまうことも有効に回避される。しかもヘルメットＨ自体には改良によって何ら格別の構成を付与することも回避している。その結果、ヘルメットＨ本来の機能は何ら損なうことなく担保しつつヘルメットＨ装着時に使用者の頭部や首まわりの温度を過度に上昇させることを有効に回避している。
【００３３】
そしてヘルメット用カバー１を簡素且つ軽量にすることで製造工程の簡略化と使用時の負担の軽減とを有効に両立させるために本実施形態では、前記日よけ体２をシート状のものとし、前記スペーサ３が前記日よけ体２を内側から支持する枠体３５と、この枠体３５を前記ヘルメット本体Ｈ１に対し離間させた状態で支持するスペーサ本体３１とを有しているものとしている。
【００３４】
作業者の視界を過度に妨げることなくヘルメット本体Ｈ１への日射を有効に遮蔽し得るように本実施形態では、前記枠体３５が前記ヘルメット本体Ｈ１を上方から略被覆し得る概略ドーム形状をなすようにしている。
【００３５】
ヘルメット本体Ｈ１の構成をなんら変更することなくカバー本体を確実に位置決めすることができるように本実施形態では、スペーサ本体３１が、前記ヘルメット本体Ｈ１に対し摩擦により位置決めされる摩擦面３２を有しているものとしている。
【００３６】
サイズや形状がことなる種々の態様をなすヘルメットＨに対してそれぞれ好適に取り付けられるようにするためには、前記スペーサ本体３１を、弾性変形可能な発泡性樹脂により構成している。またスペーサ本体３１に発泡性の樹脂を適用することにより、スペーサ３自体の軽量化とともに、簡素な構成で摩擦面３２を形成することにも寄与している。
【００３７】
そしてスペーサ本体３１をヘルメット本体Ｈ１の縁部に間欠的に複数取り付けることで、通気空間Ｓへの外部への連通を有効に担保してヘルメット本体Ｈ１とカバー本体との間の通気性を有効に担保している。
【００３８】
さらに本実施形態では、日よけ体２がスペーサ３及びヘルメット本体Ｈ１に対し確実に位置決めされるようにするために、日よけ体２に、前記ヘルメット本体Ｈ１を挟持することにより当該ヘルメット本体Ｈ１に対し位置決めされるクリップ２５を複数設けたものとしている。
【００３９】
＜変形例１＞
以下に、本実施形態の各変形例について説明する。当該変形例において、上記実施形態の構成要素に相当するものについては同じ符号を付すとともに、その詳細な説明を省略する。
【００４０】
この変形例１では、図６に示すように、スペーサ３自体がヘルメット本体Ｈ１により確実に位置決めされ得る構成を示している。すなわち本変形例では、スペーサ３が、ヘルメット本体Ｈ１の下端を挟持する鉤状をなす挟持体３３と、枠体３５においてスペーサ本体３１とは離間した箇所に取り付けられた吸着体３４とを有した構成としている。
【００４１】
このようなものであれば、挟持体３３と吸着体３４とによってスペーサ３がヘルメット本体Ｈ１により確実に位置決めされることで、使用者の動作や風等により不意にヘルメット用カバー１がヘルメットＨから離脱してしまうことを回避できる。
【００４２】
＜変形例２＞
図７に示すヘルメット用カバー１は、日よけ体２の上部に別途複数の通気穴２４を前後左右４箇所に設けた構成としている。これによりヘルメット本体Ｈ１の上部の通期空間にはこの通気穴２４に連通する連通空間Ｓ１が形成される。この連通空間Ｓ１が外部の空気が通過すれば、通期空間内全体の空気の移動が促され、通期空間内の換気が速やかに行われる。
【００４３】
＜変形例３＞
図８に示すヘルメット用カバー１は、上記実施形態の枠体３５及びスペーサ本体３１に代えて、一体的に形成された波状枠体３９を適用したものであるこの波状枠体３９は、本変形例では波状枠３６Ｗとアーチ３７とを一体に形成されている。
【００４４】
このようなものであれば、波状枠体３９が上記実施形態の環状体３６及びスペーサ本体３１の機能を兼ねて奏するようになっている。さらにアーチ３７と波状環３６Ｗとが一体に形成されることで、ヘルメット用カバー１を構成する部品点数の削減に資する。
【００４５】
以上、本発明の実施形態について説明したが、各部の具体的な構成は、上述した実施形態のみに限定されるものではなく、本発明の趣旨を逸脱しない範囲で種々変形が可能である。
【００４６】
例えば、上記実施形態ではスペーサと日よけ体とを別体とし、日よけ体をスペーサに対して着脱可能な態様を開示したが勿論、スペーサと日よけ体とを一体に構成したものであってもよい。その場合、スペーサ及び日よけ体を樹脂により一体成形することにより、ヘルメットへの装着をより容易にするとともに、製造工程の短縮化や部品点数のさらなる削減にも資する。
【００４７】
さらに、上記実施形態ではヘルメットに対してヘルメット用カバーを後付けにより装着する態様のものを開示したが、ヘルメットとヘルメット用カバーを一体的に形成する態様としても良い。具体的には、使用者の頭部を保護する機能を有するヘルメット本体の外側に日よけ機能を有するヘルメット用カバーが予め固定されているか、ヘルメットの何れかの構成要素から一体に形成されている態様であっても良い。さらに、ヘルメットの何れかの構成要素からスペーサのみが一体に形成され、日よけ体が着脱可能に構成されるようなものであっても良い。
【００４８】
また日よけ体はヘルメット本体のみならず、使用者の首周りをも遮光すべく後方に日よけ垂れを設けた形状としても良い。また日よけ体のその他の具体的な形状並びに素材、さらにはスペーサの詳細な形状といった具体的な態様は上記実施形態のものに限定されることはなく、既存のものを含め、種々の態様のものを適用することができる。
【００４９】
その他、各部の具体的構成についても上記実施形態に限られるものではなく、本発明の趣旨を逸脱しない範囲で種々変形が可能である。
【産業上の利用可能性】
【００５０】
本発明はヘルメットに装着する日よけ機能を有するカバーとして利用することができる。
【符号の説明】
【００５１】
１…ヘルメット用カバー
２…日よけ体
２５…クリップ
３…スペーサ
３１…スペーサ本体
３２…摩擦面
３３…挟持体
３４…吸着体
３５…枠体
Ｓ…通気空間
Ｈ…ヘルメット
Ｈ１…ヘルメット本体
【図１】
2014181427.tif 000003
【図２】
2014181427.tif 000004
【図３】
2014181427.tif 000005
【図４】
2014181427.tif 000006
【図５】
2014181427.tif 000007
【図６】
2014181427.tif 000008
【図７】
2014181427.tif 000009
【図８】
2014181427.tif 000010